(57)【要約】【課題】  移動先の地域に対応したチャンネル設定へ自動的に変更できるデジタル放送受信装置を提供する。【解決手段】  地域候補リスト３０２に適切な地域候補を抽出して、いずれかのチャンネルの受信感度が良好であり、かつ地域候補リスト３０２の地域数が１となった場合には、地域候補リスト３０２に記述された地域が現在地域であると特定する。そして、デジタル放送受信装置１ａは、現在地域情報３０５に現在地域を格納した後、チャンネル設定情報３０４を現在地域で放送のチャンネル一覧に自動的に変更する。【選択図】  図１
2006093868.tif 000002
【特許請求の範囲】
【請求項１】
デジタル放送を受信するデジタル放送受信装置であって、
デジタル放送のチャンネルを選局する選局部と、
前記選局部によって選局されたチャンネルの受信感度を判定する受信感度判定部と、
前記デジタル放送受信装置が位置する現在地域の候補である地域候補を設定する地域候補設定部と、
地域それぞれに放送されているデジタル放送のチャンネル情報および各地域間の隣接関係を示す情報を格納する地域チャンネルデータベースと、
前記受信感度判定部が判定する受信感度に基づいて、前記地域候補設定部が設定した地域候補から前記現在地域を特定する現在地域特定部とを備え、
前記地域候補設定部は、前記地域チャンネルデータベースに基づいて、現在設定されている現在地域を基準に前記選局部が選局しているチャンネルを連続的に受信可能な地域および当該受信可能な地域と隣接関係にあって当該チャンネルが放送されていない地域の少なくとも一方を含む地域を前記デジタル放送受信装置の状態に応じて前記地域候補に設定することを特徴とする、デジタル放送受信装置。
【請求項２】
前記デジタル放送受信装置は、前記地域候補それぞれに放送されているデジタル放送のチャンネル情報を記述したチャンネルリストを作成するチャンネルリスト作成部を、さらに備え、
前記現在地域特定部は、
前記チャンネルリストに記述されたチャンネル情報に相当するチャンネルを前記選局部が順次選局するように制御し、
前記受信感度判定部が前記選局部で順次選局したチャンネルの受信感度が不良であると判断したとき、前記地域候補から当該チャンネルが放送されている地域を削除し、
前記受信感度判定部が前記選局部で順次選局したチャンネルの受信感度が良好であると判断したとき、前記地域候補から当該チャンネルが放送されていない地域を削除することを繰り返すことによって、
前記地域候補の地域数が１となったときの当該地域候補を前記現在地域に特定することを特徴とする、請求項１に記載のデジタル放送受信装置。
【請求項３】
前記デジタル放送受信装置は、前記現在地域特定部が特定した現在地域で放送されているチャンネル情報の一覧であるチャンネル設定情報を、前記地域チャンネルデータベースに基づいて設定するチャンネル設定情報設定部を、さらに備える、請求項１に記載のデジタル放送受信装置。
【請求項４】
前記現在地域特定部は、デジタル放送を視聴開始したとき、ユーザの指示に応じて前記選局部が選局する視聴チャンネルを変更したとき、および前記選局部が選局する視聴チャンネルに対して前記受信感度判定部が受信感度不良と判定したときのいずれかの状態に応じて、前記地域候補設定部に前記地域候補の設定を開始させ、当該地域候補から前記現在地域を特定する処理を行うことを特徴とする、請求項１のデジタル放送受信装置。
【請求項５】
前記地域候補設定部は、デジタル放送を視聴開始したとき、前記地域チャンネルデータベースに記述された全ての地域を前記地域候補に設定することを特徴とする、請求項４に記載のデジタル放送受信装置。
【請求項６】
前記地域候補設定部は、前記視聴チャンネルを変更したとき、現在設定されている現在地域を基準に前記選局部が選局している視聴チャンネルを連続的に受信可能な地域を前記地域候補に設定することを特徴とする、請求項４に記載のデジタル放送受信装置。
【請求項７】
前記地域候補設定部は、前記視聴チャンネルに対して前記受信感度判定部が受信感度不良と判定したとき、現在設定されている現在地域を基準に前記視聴チャンネルを連続的に受信可能な地域に対して隣接関係にあり、当該視聴チャンネルが放送されていない地域を前記地域候補に設定することを特徴とする、請求項４に記載のデジタル放送受信装置。
【請求項８】
前記現在地域特定部は、前記地域候補がなくなったとき、前記地域候補設定部に地域候補を再設定させることを特徴とする、請求項２に記載のデジタル放送受信装置。
【請求項９】
前記地域候補設定部は、前記再設定の際、当該再設定前の現在地域を基準にユーザの指示に応じて前記選局部が選局する視聴チャンネルを連続的に受信可能な地域を前記地域候補に設定することを特徴とする、請求項８に記載のデジタル放送受信装置。
【請求項１０】
前記現在地域特定部は、前記チャンネルリストに記述されたチャンネル情報のうち、放送されている地域候補の地域数が少ないチャンネルから順次前記選局部に選局するように制御することを特徴とする、請求項２に記載のデジタル放送受信装置。
【請求項１１】
前記デジタル放送受信装置は、
前記選局部が選局する視聴チャンネルにおけるデジタル放送の放送系列識別を抽出する放送系列抽出部と、
前記チャンネル情報とその放送系列識別との対応関係を前記地域毎に示す情報を格納する放送系列識別情報データベースと、
前記チャンネル設定情報からチャンネル情報を選択し、当該チャンネル情報に相当するチャンネルを前記選局部に選択させる選局制御部とを、さらに備え、
前記選局制御部は、前記現在地域特定部が現在地域を特定したとき、前記放送系列識別情報データベースを参照し、当該現在地域において当該特定前の視聴チャンネルの放送系列識別に対応しているチャンネル情報を抽出し、当該チャンネル情報に相当するチャンネルを前記選局部に選択させることを特徴とする、請求項３に記載のデジタル放送受信装置。
【請求項１２】
前記デジタル放送受信装置は、その掲示面に情報を表示する掲示部を、さらに備え、
前記選局制御部は、前記特定前の視聴チャンネルの放送系列識別に対応しているチャンネル情報に相当するチャンネルを前記選局部に選択させる際、ユーザに当該チャンネルに対する視聴の確認を促す情報を前記掲示部に表示することを特徴とする、請求項１１に記載のデジタル放送受信装置。
【請求項１３】
前記デジタル放送受信装置は、その掲示面に情報を表示する掲示部を、さらに備え、
前記選局制御部は、前記特定前の視聴チャンネルの放送系列識別に対応しているチャンネル情報が前記現在地域にないとき、ユーザに同一の放送系列識別に対応するチャンネルがないことを示す情報を前記掲示部に表示することを特徴とする、請求項１１に記載のデジタル放送受信装置。
【請求項１４】
前記デジタル放送受信装置は、前記地域チャンネルデータベースを更新するデータベース更新部と、
ユーザの操作に応じて、操作内容を入力する入力部とを、さらに備え、
前記データベース更新部は、全てのチャンネルを前記選局部が順次選局するように制御して前記受信感度判定部が当該選局部で選局したチャンネルの受信感度が良好であると判断したとき、当該チャンネルをユーザが前記入力部を介して入力した現在地域に対応したチャンネル情報として前記地域チャンネルデータベースを更新することを特徴とする、請求項１に記載のデジタル放送受信装置。
【請求項１５】
前記デジタル放送受信装置は、
前記選局部が選局する視聴チャンネルにおけるデジタル放送の放送系列識別を抽出する放送系列抽出部と、
前記チャンネル情報とその放送系列識別との対応関係を前記地域毎に示す情報を格納する放送系列識別情報データベースと、
前記チャンネル設定情報からチャンネル情報を選択し、当該チャンネル情報に相当するチャンネルを前記選局部に選択させる選局制御部とを、さらに備え、
前記データベース更新部は、前記地域チャンネルデータベースの更新の際、前記放送系列抽出部が抽出したチャンネルの放送系列識別を、ユーザが前記入力部を介して入力した現在地域におけるチャンネル情報に対応する放送系列識別として前記放送系列識別情報データベースを更新することを特徴とする、請求項１４に記載のデジタル放送受信装置。
【請求項１６】
前記デジタル放送受信装置は、その掲示面に情報を表示する掲示部を、さらに備え、
前記現在地域特定部は、前記現在地域の特定を行っているとき、前記掲示部に当該現在地域特定部が動作中であることを示す情報を表示することを特徴とする、請求項１に記載のデジタル放送受信装置。
【発明の詳細な説明】
【技術分野】
【０００１】
本発明は、デジタル放送受信装置に関し、より特定的には、デジタル放送を視聴しながら移動可能なデジタル放送受信装置に関する。
【背景技術】
【０００２】
従来、デジタル放送は、アナログ放送とは異なり、映像や音声などの放送情報だけでなく、地域を識別するための情報（地域識別）や、放送系列局を識別するための情報（放送局識別、放送系列識別）なども送出される。そして、このようなデジタル放送を受信しながら移動可能なデジタル放送受信装置が開発されている。このようなデジタル放送受信装置で地上デジタル放送に代表されるような地域固有（例えば、都道府県単位）に放送されているデジタル放送を視聴しながら他の地域へ移動した場合、移動先の地域にて視聴可能なデジタル放送のチャンネル情報を取得して、当該チャンネル情報に基づいたチャンネル設定へ自動的に変更できるデジタル放送受信装置が必要となる（例えば、特許文献１参照）。
【０００３】
上記特許文献１で開示されたデジタル放送受信装置は、地域と地域識別との対応関係、その隣接地域の地域識別、および各地域で放送されているチャンネル情報を受信装置に保持させる。そして、視聴チャンネルの受信感度が不良になると、地域を移動したものと判断し、隣接地域で放送されているチャンネルを所定の順で選局する。選局したチャンネルの受信感度が良好であるならば、受信した放送から地域識別をとりだすことによって、現在地域を特定し、チャンネル設定を自動的に移動先のチャンネル情報に更新するものであった。
【特許文献１】特開２００３−１５２５７８号公報
【発明の開示】
【発明が解決しようとする課題】
【０００４】
図１１に、関東地域における地域識別および隣接地域の一例を示す。図１１において、関東広域に対して地域識別１が設定されている。また、県単位の地域に対して、東京都が地域識別２３に設定され、東京都の隣接地域として、埼玉県が地域識別２９、千葉県が地域識別２７、および神奈川県が地域識別２４に設定されている。また、関東広域外の県単位の地域として、静岡県が地域識別３５に設定されている。
【０００５】
例えば、上記特許文献１で開示されたデジタル放送受信装置で関東広域（地域識別１）を放送エリアとするデジタル放送を受信している場合、現在位置が関東広域内であることはわかるが、県単位の地域を特定することはできない。
【０００６】
また、上記デジタル放送受信装置が現在地域を東京都として特定している場合、埼玉県、千葉県、および神奈川県が隣接地域として設定される。そして、デジタル放送受信装置で関東広域（地域識別１）を放送エリアとするデジタル放送を視聴しながら東京都から神奈川県へ移動した場合、東京都および神奈川県が同じ地域識別１に属するため、受信感度は良好である。その後、デジタル放送受信装置で関東広域（地域識別１）を放送エリアとするデジタル放送を視聴しながら神奈川県から静岡県へ移動した場合、静岡県が地域識別１に属さないため、受信感度が不良となる。しかしながら、静岡県は現在上記デジタル放送受信装置が設定している隣接地域に含まれていないため、上述した更新処理などの動作が正しく行うことができない。
【０００７】
それ故に、本発明の目的は、上述した状況においても移動先の地域を正確に特定し、その地域に対応したチャンネル設定へ自動的に変更できるデジタル放送受信装置を提供することである。
【課題を解決するための手段】
【０００８】
上記目的を達成するために、本発明は、以下に述べるような特徴を有している。
第１の発明は、デジタル放送を受信するデジタル放送受信装置である。デジタル放送受信装置は、選局部、受信感度判定部、地域候補設定部、地域チャンネルデータベース、および現在地域特定部を備える。選局部は、デジタル放送のチャンネルを選局する。受信感度判定部は、選局部によって選局されたチャンネルの受信感度を判定する。地域候補設定部は、デジタル放送受信装置が位置する現在地域の候補である地域候補を設定する。地域チャンネルデータベースは、地域それぞれに放送されているデジタル放送のチャンネル情報および各地域間の隣接関係を示す情報を格納する。現在地域特定部は、受信感度判定部が判定する受信感度に基づいて、地域候補設定部が設定した地域候補から現在地域を特定する。地域候補設定部は、地域チャンネルデータベースに基づいて、現在設定されている現在地域を基準に選局部が選局しているチャンネルを連続的に受信可能な地域およびそれら受信可能な地域と隣接関係にあってそのチャンネルが放送されていない地域の少なくとも一方を含む地域をデジタル放送受信装置の状態に応じて地域候補に設定する。
【０００９】
第２の発明は、上記第１の発明において、チャンネルリスト作成部を、さらに備える。チャンネルリスト作成部は、地域候補それぞれに放送されているデジタル放送のチャンネル情報を記述したチャンネルリストを作成する。現在地域特定部は、チャンネルリストに記述されたチャンネル情報に相当するチャンネルを選局部が順次選局するように制御し、受信感度判定部が選局部で順次選局したチャンネルの受信感度が不良であると判断したとき、地域候補からそのチャンネルが放送されている地域を削除し、受信感度判定部が選局部で順次選局したチャンネルの受信感度が良好であると判断したとき、地域候補からそのチャンネルが放送されていない地域を削除することを繰り返すことによって、地域候補の地域数が１となったときのその地域候補を現在地域に特定する。
【００１０】
第３の発明は、上記第１の発明において、チャンネル設定情報設定部を、さらに備える。チャンネル設定情報設定部は、現在地域特定部が特定した現在地域で放送されているチャンネル情報の一覧であるチャンネル設定情報を、地域チャンネルデータベースに基づいて設定する。
【００１１】
第４の発明は、上記第１の発明において、現在地域特定部は、デジタル放送を視聴開始したとき、ユーザの指示に応じて選局部が選局する視聴チャンネルを変更したとき、および選局部が選局する視聴チャンネルに対して受信感度判定部が受信感度不良と判定したときのいずれかの状態に応じて、地域候補設定部に地域候補の設定を開始させ、それら地域候補から現在地域を特定する処理を行う。
【００１２】
第５の発明は、上記第４の発明において、地域候補設定部は、デジタル放送を視聴開始したとき、地域チャンネルデータベースに記述された全ての地域を地域候補に設定する。
【００１３】
第６の発明は、上記第４の発明において、地域候補設定部は、視聴チャンネルを変更したとき、現在設定されている現在地域を基準に選局部が選局している視聴チャンネルを連続的に受信可能な地域を地域候補に設定する。
【００１４】
第７の発明は、上記第４の発明において、地域候補設定部は、視聴チャンネルに対して受信感度判定部が受信感度不良と判定したとき、現在設定されている現在地域を基準に視聴チャンネルを連続的に受信可能な地域に対して隣接関係にあり、その視聴チャンネルが放送されていない地域を地域候補に設定する。
【００１５】
第８の発明は、上記第２の発明において、現在地域特定部は、地域候補がなくなったとき、地域候補設定部に地域候補を再設定させる。
【００１６】
第９の発明は、上記第８の発明において、地域候補設定部は、再設定の際、その再設定前の現在地域を基準にユーザの指示に応じて選局部が選局する視聴チャンネルを連続的に受信可能な地域を地域候補に設定する。
【００１７】
第１０の発明は、上記第２の発明において、現在地域特定部は、チャンネルリストに記述されたチャンネル情報のうち、放送されている地域候補の地域数が少ないチャンネルから順次選局部に選局するように制御する。
【００１８】
第１１の発明は、上記第３の発明において、放送系列抽出部、放送系列識別情報データベース、および選局制御部を、さらに備える。放送系列抽出部は、選局部が選局する視聴チャンネルにおけるデジタル放送の放送系列識別を抽出する。放送系列識別情報データベースと、チャンネル情報とその放送系列識別との対応関係を地域毎に示す情報を格納する。選局制御部は、チャンネル設定情報からチャンネル情報を選択し、そのチャンネル情報に相当するチャンネルを選局部に選択させる。選局制御部は、現在地域特定部が現在地域を特定したとき、放送系列識別情報データベースを参照し、その現在地域においてその特定前の視聴チャンネルの放送系列識別に対応しているチャンネル情報を抽出し、そのチャンネル情報に相当するチャンネルを選局部に選択させる。
【００１９】
第１２の発明は、上記第１１の発明において、掲示部を、さらに備える。掲示部は、その掲示面に情報を表示する。選局制御部は、特定前の視聴チャンネルの放送系列識別に対応しているチャンネル情報に相当するチャンネルを選局部に選択させる際、ユーザにそのチャンネルに対する視聴の確認を促す情報を掲示部に表示する。
【００２０】
第１３の発明は、上記第１１の発明において、掲示部を、さらに備える。掲示部は、その掲示面に情報を表示する。選局制御部は、特定前の視聴チャンネルの放送系列識別に対応しているチャンネル情報が現在地域にないとき、ユーザに同一の放送系列識別に対応するチャンネルがないことを示す情報を掲示部に表示する。
【００２１】
第１４の発明は、上記第１の発明において、データベース更新部および入力部を、さらに備える。データベース更新部は、地域チャンネルデータベースを更新する。入力部は、ユーザの操作に応じて、操作内容を入力する。データベース更新部は、全てのチャンネルを選局部が順次選局するように制御して受信感度判定部がその選局部で選局したチャンネルの受信感度が良好であると判断したとき、そのチャンネルをユーザが入力部を介して入力した現在地域に対応したチャンネル情報として地域チャンネルデータベースを更新する。
【００２２】
第１５の発明は、上記第１４の発明において、放送系列抽出部、放送系列識別情報データベース、および選局制御部を、さらに備える。放送系列抽出部は、選局部が選局する視聴チャンネルにおけるデジタル放送の放送系列識別を抽出する。放送系列識別情報データベースは、チャンネル情報とその放送系列識別との対応関係を地域毎に示す情報を格納する。選局制御部は、チャンネル設定情報からチャンネル情報を選択し、そのチャンネル情報に相当するチャンネルを選局部に選択させる。データベース更新部は、地域チャンネルデータベースの更新の際、放送系列抽出部が抽出したチャンネルの放送系列識別を、ユーザが入力部を介して入力した現在地域におけるチャンネル情報に対応する放送系列識別として放送系列識別情報データベースを更新する。
【発明の効果】
【００２３】
第１の発明によれば、デジタル放送受信装置が位置する可能性のある地域候補を当該デジタル放送受信装置の状態に応じて適切に抽出し、それら地域候補からチャンネルの受信感度により現在地域を絞りこむ。これによって、デジタル放送受信装置が現在位置する現在地域を正確に特定することができる。
【００２４】
第２の発明によれば、いずれかのチャンネルの受信感度が良好であり、かつ地域候補の地域数が１となった場合には、その地域が現在地域であると特定することができる。
【００２５】
第３の発明によれば、現在地域を特定した後、現在地域で放送されているチャンネル一覧を自動的に変更することができる。
【００２６】
第４の発明によれば、現在地域の特定が必要となる時期（視聴開始、視聴チャンネル変更、受信感度不良）に対して、効率よく現在地域の特定を行うことができる。
【００２７】
第５の発明によれば、デジタル放送受信装置がデジタル放送を視聴開始した状態に応じた適切な地域候補を設定することができる。
【００２８】
第６の発明によれば、デジタル放送受信装置のユーザが視聴チャンネルを変更した状態に応じた適切な地域候補を設定することができる。
【００２９】
第７の発明によれば、デジタル放送受信装置の視聴チャンネルに対する受信感度が不良となった状態に応じた適切な地域候補を設定することができる。例えば、広域の放送を視聴中に広域の放送局の放送地域外に移動（例えば、関東から中部地方へ移動）した場合や、県域の放送を視聴中に地域移動（例えば、東京都から神奈川県へ移動）した場合において、正確に現在地域を特定することができる。
【００３０】
第８および第９の発明によれば、同一地域内で地下などの受信困難な場所から受信が可能な場所に移動した場合に、正確に短時間で現在地域を特定することができる。
【００３１】
第１０の発明によれば、複数の地域候補から効率よく現在地域を特定することができる。
【００３２】
第１１の発明によれば、現在地域にて同じ放送系列の放送が行われていた場合に、その放送を自動的に視聴することができる。
【００３３】
第１２および第１３の発明によれば、視聴チャンネルに関する適切な情報をユーザに伝えることができる。
【００３４】
第１４および第１５の発明によれば、放送チャンネルや放送系列の変更があった場合にも、受信する情報から地域チャンネルデータベースや放送系列情報データベースを更新することができる。
【００３５】
第１６の発明によれば、デジタル放送受信装置の処理状態に関する適切な情報をユーザに伝えることができる。
【発明を実施するための最良の形態】
【００３６】
（第１の実施形態）
以下、図面を参照して、本発明の第１の実施形態に係るデジタル放送受信装置について説明する。図１は、当該デジタル放送受信装置１ａの構成を示すブロック図である。典型的には、デジタル放送受信装置１ａは、携帯電話やＰＤＡなど移動を前提にした移動型端末や車両などの移動体に搭載される車載端末などで実現される。
【００３７】
図１において、デジタル放送受信装置１ａは、アンテナ１１、選局部１２、受信感度判定部１３、地域候補設定部１５、現在地域特定部１０、チャンネルリスト作成部１６、チャンネル設定情報設定部１９、および記憶部３０ａを備えている。そして、現在地域特定部１０は、選局制御部１４、地域数計測部１７、および地域情報格納部１８を含んでいる。デジタル放送受信装置１ａから出力された信号は、放送情報抽出部２へ送られ、映像や音声等の放送情報が抽出される。そして、放送情報は、デコーダ３に送られてデコードされ、掲示部４に送られる。掲示部４は、デコーダ３から送られてきた情報を掲示するものであり、例えば、モニタやスピーカなどである。記憶部３０ａは、地域チャンネルデータベース３０１、地域候補リスト３０２、チャンネルリスト３０３、チャンネル設定情報３０４、および現在地域情報３０５を記憶している。
【００３８】
アンテナ１１は、放送信号を受信し、受信した信号を選局部１２に出力する。選局部１２は、選局制御部１４によって指定されたチャンネルの信号を復調し、受信感度判定部１３に送る。受信感度判定部１３は、選局部１２で復調した信号の受信感度を判定し、その結果を受信感度情報として地域候補設定部１５へ送る。また、受信結果が良好である場合は、復調された信号を放送情報抽出部２に送る。
【００３９】
地域候補設定部１５は、受信感度判定部１３から送られる受信感度情報および選局制御部１４から送られる選局情報に基づいて、記憶部３０ａにある地域チャンネルデータベース３０１を参照し、地域候補リスト３０２を作成する。また、地域数計測部１７から個数情報が０であると送られてきた場合には、地域候補リスト３０２を再作成する。
【００４０】
チャンネルリスト作成部１６は、地域チャンネルデータベース３０１を参照し、地域候補リスト３０２に記述される地域で放送されているチャンネルの一覧表であるチャンネルリスト３０３を記憶部３０ａに作成する。
【００４１】
現在地域特定部１０は、受信感度判定部１３が判定する受信感度に基づいて、地域候補設定部１５が設定した地域候補リスト３０２から、デジタル放送受信装置１ａが位置する現在地域を特定するために、選局制御部１４、地域数計測部１７、および地域情報格納部１８を有している。
【００４２】
選局制御部１４は、選局部１２で選局するチャンネルの指示を行うとともに、選局したチャンネルの情報（選局情報）を地域候補設定部１５に出力する。
【００４３】
地域数計測部１７は、地域候補リスト３０２に記述されている地域数を数え、地域候補設定部１５にその個数を伝える。また、地域数計測部１７は、地域候補リスト３０２に記述されている地域の個数が１の場合、地域候補リスト３０２に記述されている地域が現在地域であると特定する。
【００４４】
地域情報格納部１８は、デジタル放送受信装置１ａが位置する現在地域の情報を現在地域情報３０５として格納する。例えば、現在地域情報３０５は、東京都や大阪府など都道府県によって現在地域を区分した情報である。
【００４５】
チャンネル設定情報設定部１９は、現在地域情報３０５で示される地域で放送されているチャンネルの一覧表をチャンネル設定情報３０４として格納する。チャンネル設定情報３０４は、現在地域においてデジタル放送受信装置１ａが受信できるチャンネル情報を示すものであり、視聴者が選局可能となるチャンネルを示す情報である。
【００４６】
図２を参照して、地域チャンネルデータベース３０１について説明する。なお、図２は、地域チャンネルデータベース３０１の一例を説明するための図である。
【００４７】
図２において、地域チャンネルデータベース３０１は、各地域でそれぞれ放送されているチャンネル情報と、各地域それぞれの隣接関係とを示すデータベースであり、デジタル放送受信装置１ａが受信する可能性のある地域（例えば、日本全域）が全て記述されている。例えば、図２のおいては地域Ａ〜Ｇでそれぞれ放送されているチャンネル情報が示されており、地域ＣではチャンネルＣＨ２、ＣＨ５、およびＣＨ２０の放送が行われていることを示している。そして、地域Ｃと隣接関係となる地域は、地域Ａ、地域Ｂ、地域Ｄ、地域Ｅ、および地域Ｆであることを示している。そして、好ましくは、各地域Ａ〜Ｇで固有のローカルチャンネル（例えば、地域ＣにおけるチャンネルＣＨ２０）が少なくとも１つ含まれるように、各地域Ａ〜Ｇのチャンネル情報が設定される。
【００４８】
次に、図３を参照して、地域候補リスト３０２について説明する。なお、図３は、地域候補リスト３０２の一例を説明するための図である。
【００４９】
図３において、地域候補リスト３０２は、デジタル放送受信装置１ａが現在位置する可能性のある地域候補を抽出したリストである。例えば、図３の例では、地域候補リスト３０２として地域Ａ、地域Ｃ、および地域Ｆが抽出されており、デジタル放送受信装置１ａが地域Ａ、地域Ｃ、および地域Ｆのいずれかに現在位置する可能性のあることが示されている。
【００５０】
次に、図４を参照して、チャンネルリスト３０３について説明する。なお、図４は、チャンネルリスト３０３の一例を説明するための図である。
【００５１】
図４において、チャンネルリスト３０３は、地域候補リスト３０２で地域候補として抽出された地域で放送されているチャンネルを全て抽出したものである。図４で示したチャンネルリスト３０３は、図２で示した地域チャンネルデータベース３０１に基づいて、図３で示した地域候補リスト３０２で示された候補地域で放送されているチャンネルを示した一例であり、すなわち、チャンネルＣＨ１０、ＣＨ２０、ＣＨ４０、ＣＨ２、およびＣＨ５が示されている。なお、図４では、地域候補リスト３０２で示された地域候補の中で放送されている地域個数が少ない順番でチャンネルを並記しているが、任意の順で並記してもかまわない。
【００５２】
次に、図５および図６を参照して、デジタル放送受信装置１ａのおける視聴開始から視聴終了までの動作について説明する。なお、図５は、デジタル放送受信装置１ａのおける視聴開始から視聴終了までの動作を示すフローチャートである。図６は、図５のステップＳ１、Ｓ５、およびＳ９の地域特定処理の詳細な手順を示すサブルーチンである。
【００５３】
図５において、まず、デジタル放送受信装置１ａは、視聴開始時に現在地域を特定し、チャンネル設定情報３０４を現在地域で放送されているチャンネル一覧に変更する初期の地域特定処理を行う（ステップＳ１）。この地域特定処理は、デジタル放送受信装置１ａの電源を入れるときなど、視聴を開始するときに行う初期チャンネル設定動作である。なお、初期の地域特定処理の詳細な動作については、後述する。
【００５４】
次に、選局制御部１４は、上記ステップＳ１で設定されたチャンネル設定情報３０４から選局されたチャンネル情報を選局部１２へ出力する（ステップＳ２）。そして、選局部１２は、そのチャンネル情報が示すチャンネルを選局して、信号を放送情報抽出部２に出力する。
【００５５】
次に、放送情報抽出部２は、受信感度判定部１３から送られてきた信号から、映像や音声等の放送情報を抽出し、放送情報をデコーダ３に送る。デコーダ３は、放送情報抽出部２から送られてきた放送情報をデコードし、掲示部４に送る。掲示部４は、デコーダ３から送られてきた情報を掲示して、ユーザによって視聴される（ステップＳ３）。
【００５６】
次に、選局制御部１４は、ユーザから視聴チャンネルの変更指示があるか否かを判断する（ステップＳ４）。そして、視聴チャンネルの変更指示がある場合に処理を次のステップＳ５に進め、視聴チャンネルの変更指示がない場合に、処理を次のステップＳ８に進める。
【００５７】
ステップＳ５において、デジタル放送受信装置１ａは、視聴チャンネル変更時に現在地域を特定し、チャンネル設定情報３０４を現在地域で放送されているチャンネル一覧に変更する選局時の地域特定処理を行う。なお、選局時の地域特定処理の詳細な動作については、後述する。
【００５８】
次に、選局制御部１４は、ユーザが視聴指示したチャンネルがチャンネル設定情報３０４に存在するか否かを判断する（ステップＳ６）。そして、チャンネル設定情報３０４に存在する場合に、処理を次のステップＳ７に進め、チャンネル設定情報３０４に存在しない場合に、処理を次のステップＳ１２に進める。
【００５９】
ステップＳ７において、選局制御部１４は、ユーザが視聴指示したチャンネルを選局部１２へ出力する。そして、選局部１２は、そのチャンネルを選局して、信号を放送情報抽出部２に出力して、処理を次のステップＳ１１に進める。
【００６０】
ステップＳ１２において、選局制御部１４は、上記ステップＳ５で設定されたチャンネル設定情報３０４から選局されたチャンネル情報を選局部１２へ出力する。そして、選局部１２は、そのチャンネル情報が示すチャンネルを選局して、信号を放送情報抽出部２に出力し、処理を次のステップＳ１１に進める。
【００６１】
一方、上記ステップＳ４で視聴チャンネルの変更指示がない場合、ステップＳ８において、受信感度判定部１３は、現在の視聴チャンネルに対する受信感度を判定する。そして、受信感度が良好でない場合に処理を次のステップＳ９に進め、受信感度が良好の場合に処理を次のステップＳ１１に進める。
【００６２】
ステップＳ９において、デジタル放送受信装置１ａは、受信感度不良時に現在地域を特定し、チャンネル設定情報３０４を現在地域で放送されているチャンネル一覧に変更する受信感度不良時の地域特定処理を行って、処理を次のステップＳ１３に進める。なお、受信感度不良時の地域特定処理の詳細な動作については、後述する。
【００６３】
ステップＳ１３において、選局制御部１４は、上記ステップＳ９で設定されたチャンネル設定情報３０４から選局されたチャンネル情報を選局部１２へ出力する。そして、選局部１２は、そのチャンネル情報が示すチャンネルを選局して、信号を放送情報抽出部２に出力し、処理を次のステップＳ１１に進める。
【００６４】
ステップＳ１１において、選局制御部１４は、視聴を終了するか否かを判断する。そして、視聴を継続する場合に上記ステップＳ３に戻って処理を継続し、視聴を終了する場合に当該フローチャートによる処理を終了する。
【００６５】
次に、図６を参照して地域特定処理について説明する。地域特定処理では、現在地域を特定し、チャンネル設定情報３０４を現在地域で放送されているチャンネル一覧に更新する。この地域特定処理は、上述したように、デジタル放送受信装置１ａの電源を入れるときなどの視聴を開始するときに行う初期動作（ステップＳ１）、視聴チャンネルの変更に伴う選局動作（ステップＳ５）、および視聴チャンネル中の受信感度が不良となった場合の受信感度不良時の動作（ステップＳ９）で行われる。
【００６６】
図６において、まず、地域候補設定部１５は、特定すべき現在地域の候補となる地域候補を抽出し、地域候補リスト３０２を作成する（ステップＳ５１）。このステップＳ５１で行われる地域候補リスト３０２の作成の具体的な説明は、初期動作、選局動作、および受信感度不良時の動作のそれぞれによって異なるため、具体例を挙げてその詳細を後述する。
【００６７】
次に、チャンネルリスト作成部１６は、地域チャンネルデータベース３０１を参照し、地域候補リスト３０２に記述されている地域（図３参照）で放送されているチャンネルを全て抽出したものであるチャンネルリスト３０３（図４参照）を作成する（ステップＳ５２）。そして、現在地域特定部１０の地域数計測部１７は、地域候補リスト３０２に記述されている地域の個数が０か否かを判断する（ステップＳ５３）。そして、地域の個数が０の場合に上記ステップＳ５１に戻って処理を繰り返し、地域の個数が１以上の場合に処理を次のステップＳ５４に進める。
【００６８】
ステップＳ５４において、現在地域特定部１０の選局制御部１４は、チャンネルリスト３０３に記述されたチャンネルであり、かつ、地域候補リスト３０２に記述されている地域候補の中で放送されている地域数が少ない順でチャンネルを選局部１２に選局させる。例えば、図４に示したチャンネルリスト３０３の一例では、チャンネルＣＨ１０、ＣＨ２０、およびＣＨ４０のいずれか１つが選局される。なお、上記ステップＳ５４で、選局制御部１４が選局部１２に選局させるチャンネルは、チャンネルリスト３０３に記述されたチャンネルであれば任意のチャンネルでもかまわない。
【００６９】
次に、受信感度判定部１３は、上記ステップＳ５４で選局したチャンネルの受信感度を判定する（ステップＳ５５）。そして、受信感度が良好でない場合に処理を次のステップＳ５６に進め、受信感度が良好の場合に処理を次のステップＳ５７に進める。例えば、図２〜図４の一例において、上記ステップＳ５４でチャンネルＣＨ１０を選局しデジタル放送受信装置１ａが地域Ｃで受信している場合、地域ＣではチャンネルＣＨ１０が放送されておらず受信感度が不良となるため、上記ステップＳ５５でＮｏと判断される。また、上記ステップＳ５４でチャンネルＣＨ１０を選局しデジタル放送受信装置１ａが地域Ａで受信している場合、地域ＡではチャンネルＣＨ１０が放送されており受信感度が良好となるため、上記ステップＳ５５でＹｅｓと判断される。
【００７０】
ステップＳ５６において、地域候補設定部１５は、地域チャンネルデータベース３０１を参照して、上記ステップＳ５４で選局したチャンネルが放送されている地域を地域候補リスト３０２から削除して、上記ステップＳ５２に戻って処理を繰り返す。例えば、チャンネルＣＨ１０を選局している場合、図２の地域チャンネルデータベース３０１を参照すると、地域ＡではＣＨ１０が放送されているが、地域Ｃおよび地域ＦではＣＨ１０が放送されていない。したがって、地域候補設定部１５は、地域候補リスト３０２から地域Ａを削除し、地域Ｃおよび地域Ｆを記述することになる。
【００７１】
一方、ステップＳ５７において、現在地域特定部１０の地域数計測部１７は、地域候補リスト３０２に記述されている地域の個数が１か否かを判断する。そして、現在地域特定部１０は、地域の個数が２以上の場合、次のステップＳ５８に処理を進める。また、現在地域特定部１０は、地域の個数が１の場合、地域候補リスト３０２に記述されている地域が現在地域であると特定し、処理を次のステップＳ５９に進める。
【００７２】
ステップＳ５８において、地域候補設定部１５は、地域チャンネルデータベース３０１を参照して、上記ステップＳ５４で選局したチャンネルが放送されていない地域を地域候補リスト３０２から削除して、上記ステップＳ５２に戻って処理を繰り返す。例えば、チャンネルＣＨ１０を選局している場合、図２の地域チャンネルデータベース３０１を参照すると、地域ＡではＣＨ１０が放送されているが、地域Ｃおよび地域ＦではＣＨ１０が放送されていない。したがって、地域候補設定部１５は、地域候補リスト３０２から地域Ｃおよび地域Ｆを削除し、地域Ａのみを記述することになる。
【００７３】
ステップＳ５９において、現在地域特定部１０の現在地域情報格納部１８は、地域候補リスト３０２に記述された地域を現在地域情報３０５にコピーする。そして、チャンネル設定情報設定部１９は、チャンネルリスト３０３に記述されたチャンネル情報をチャンネル設定情報３０４にコピーして、チャンネル設定情報３０４を現在地域に対応したチャンネル情報に更新し（ステップＳ６０）、当該サブルーチンによる処理を終了する。
【００７４】
このように、地域特定処理は、選局したチャンネルの受信感度により現在地域特定部１０が地域候補リスト３０２から地域を絞りこむことを特徴としている。また、地域候補リスト３０２に適切な地域候補が抽出されていれば、全てのチャンネルの受信感度が不良でない限り、地域候補リスト３０２の地域数が０となることはない。したがって、いずれかのチャンネルの受信感度が良好であり、かつ地域候補リスト３０２の地域数が１となった場合には、現在地域特定部１０が地域候補リスト３０２に記述された地域が現在地域であると特定できる。つまり、デジタル放送受信装置１ａは、現在地域情報３０５を現在地域の情報にした後、チャンネル設定情報３０４を現在地域で放送のチャンネル一覧に自動的に変更することができる。
【００７５】
また、全てのチャンネルの受信感度が不良である場合は、地域候補リスト３０２の地域数が０となってしまう。その場合、上記ステップＳ５１において、地域候補リスト３０２を再作成したのち処理が何度も繰り返されるため、いずれかのチャンネルの受信感度が良好となった場合に、すぐに現在地域特定部１０が現在地域を特定しチャンネル設定情報３０４を更新することができる。
【００７６】
次に、初期動作、選局動作、および受信感度不良時の動作のそれぞれによって行われる地域特定処理について、具体例を挙げて説明する。
【００７７】
初期動作（ステップＳ１）における地域特定処理の上記ステップＳ５１において、地域候補設定部１５は、地域チャンネルデータベース３０１に記述されている全ての地域を地域候補リスト３０２に記述する。そして、上記ステップＳ５２〜Ｓ５８を繰り返すことによって、現在地域特定部１０が１つの地域を特定してチャンネル設定が行われる。つまり、初期的に設定される地域候補リスト３０２に記述される地域候補が全国であるため、必ず地域が特定されてチャンネル設定を行うことができる。
【００７８】
次に、選局動作（ステップＳ５）における地域特定処理を行う際の具体的な状況を説明する。例えば、図２に示されるような地域において、デジタル放送受信装置１ａが最初に地域ＡでチャンネルＣＨ２を受信し、チャンネルＣＨ２を視聴しながら地域Ａ〜地域Ｃ〜地域Ｆへと移動する。そして、地域Ｆにおいてデジタル放送受信装置１ａのユーザがチャンネルＣＨ５を選局したとする。
【００７９】
地域ＡでチャンネルＣＨ２を受信した場合、地域Ａで初期動作における地域特定処理が行われるため、現在地域情報３０５に地域Ａが記憶される。
【００８０】
ここで、図２に示すように、デジタル放送受信装置１ａがチャンネルＣＨ２を視聴しながら地域Ａ〜地域Ｃ〜地域Ｆへと移動しても、全ての地域でチャンネルＣＨ２が放送されているため、受信感度判定部１３が常にチャンネルＣＨ２の受信感度が良好であると判断する。したがって、初期動作や受信感度不良時の地域特定処理が行われない。つまり、デジタル放送受信装置１ａが地域Ｆに配置されても、現在地域情報３０５には地域Ａが記述されている。
【００８１】
その後、地域Ｆ内でユーザがチャンネルＣＨ５を選局した場合（ステップＳ４でＹｅｓ）、デジタル放送受信装置１ａの選局制御部１４は、選局部１２にチャンネルＣＨ５を選局するように指示を出すとともに、選局動作（ステップＳ５）における地域特定処理が行われる。
【００８２】
選局動作における地域特定処理の上記ステップＳ５１において、地域候補設定部１５は、現在地域情報３０５に記憶されている地域Ａおよび視聴チャンネル変更前に選局されていたチャンネルＣＨ２に基づいて、地域候補リスト３０２を作成する。具体的には、地域候補設定部１５は、地域チャンネルデータベース３０１を参照して、地域ＡからチャンネルＣＨ２の視聴を継続したまま移動可能な地域を抽出し、その全ての地域を地域候補リスト３０２に記述する。例えば、図２の一例では、地域Ａと、当該地域Ａと隣接しチャンネルＣＨ２が設定されている地域Ｃと、当該地域Ｃと隣接しチャンネルＣＨ２が設定されている地域Ｆとが抽出され、地域候補リスト３０２に地域Ａ、地域Ｃ、および地域Ｆが記述される。
【００８３】
そして、上記ステップＳ５２〜Ｓ５８を繰り返すことによって、現在地域特定部１０が１つの地域を特定してチャンネル設定が行われる。ここで、地域候補リスト３０２に地域Ｆが記述されているため、やがて地域Ｆが現在地域として特定されてチャンネル設定を行うことができる。
【００８４】
以上のように、現在地域情報３０５に記述された地域Ａと、地域ＡからチャンネルＣＨ２の視聴を継続しながら移動できる地域である地域Ａ、地域Ｃ、および地域Ｆを地域候補とすることで、地域Ａ、地域Ｃ、および地域Ｆのいずれで選局を行っても正確に現在地域を特定できる。つまり、１つのチャンネルを視聴したまま当該チャンネルが視聴可能な別の地域へ移動し、移動先の地域で選局を行った場合にも当該移動先の地域を現在地域として正確に特定できる。
【００８５】
また、上記状況において、地域Ｆ内でユーザがチャンネルＣＨ１０を選局した場合、同様に選局動作における地域特定処理が行われるが、地域ＦにはチャンネルＣＨ１０が放送されていない。この場合、デジタル放送受信装置１ａは、地域Ｆを現在地域として特定してチャンネル設定情報３０４の更新を行うが、選択チャンネルＣＨ１０が更新されたチャンネル設定情報３０４にない（ステップＳ６でＮｏ）ため、チャンネル設定情報３０４に記述されたチャンネルのいずれかが選局される（ステップＳ１２）。
【００８６】
次に、受信感度不良時（ステップＳ９）における地域特定処理について述べる。この動作が行われる具体的な状況には、デジタル放送受信装置１ａが他の地域へ移動して視聴中のチャンネルに対する受信感度が不良となる場合や、同一地域内の地下やトンネル内などに移動して一時的にデジタル放送の受信が困難となった場合が考えられる。例えば、図２に示されるような地域において、デジタル放送受信装置１ａが最初に地域ＡでチャンネルＣＨ２を受信し、チャンネルＣＨ２を視聴しながら地域Ａ〜地域Ｃ〜地域Ｂへと移動する。そして、地域ＢにおいてチャンネルＣＨ２に対する受信感度が不良になったとする。
【００８７】
地域ＡでチャンネルＣＨ２を受信した場合、地域Ａで初期動作における地域特定処理が行われ、その際、現在地域情報３０５に地域Ａが記憶される。
【００８８】
ここで、図２に示すように、デジタル放送受信装置１ａがチャンネルＣＨ２を視聴しながら地域Ａから地域Ｃへと移動しても、双方の地域でチャンネルＣＨ２が放送されているため、受信感度判定部１３が常にチャンネルＣＨ２の受信感度が良好であると判断する。したがって、初期動作や受信感度不良時の地域特定処理が行われない。つまり、デジタル放送受信装置１ａが地域ＡおよびＣに配置されても、現在地域情報３０５には地域Ａが記述されている。
【００８９】
その後、デジタル放送受信装置１ａが地域Ｂに配置されると、地域ＢではチャンネルＣＨ２が放送されていないため、チャンネルＣＨ２に対する受信感度が不良となる（ステップＳ８でＮｏ）。これによって、デジタル放送受信装置１ａの選局制御部１４は、受信感度不良時（ステップＳ９）における地域特定処理を開始する。
【００９０】
受信感度不良時における地域特定処理の上記ステップＳ５１において、地域候補設定部１５は、現在地域情報３０５に記憶されている地域Ａおよび視聴チャンネルとして選局されているチャンネルＣＨ２に基づいて、隣接地域に関する地域候補リスト３０２を作成する。具体的には、地域候補設定部１５は、地域チャンネルデータベース３０１を参照して、地域ＡからチャンネルＣＨ２の視聴を継続したまま移動可能な地域を抽出し、当該地域に隣接するチャンネルＣＨ２が放送されていない地域を地域候補リスト３０２に記述する。例えば、図２の一例では、地域Ａと、当該地域Ａと隣接しチャンネルＣＨ２が設定されている地域Ｃと、当該地域Ｃと隣接しチャンネルＣＨ２が設定されている地域Ｆとが抽出される。そして、地域Ａ、地域Ｃ、および地域Ｆが隣接するチャンネルＣＨ２が放送されていない地域Ｂ、地域Ｄ、地域Ｅ、および地域Ｇが地域候補リスト３０２に記述される。
【００９１】
そして、上記ステップＳ５２〜Ｓ５８を繰り返すことによって、１つの地域を特定してチャンネル設定が行われる。ここで、地域候補リスト３０２に地域Ｂが記述されているため、やがて現在地域特定部１０が地域Ｂを現在地域として特定してチャンネル設定を行うことができる。
【００９２】
次に、デジタル放送受信装置１ａが地域Ａ内でチャンネルＣＨ２を視聴中に地下やトンネル内などに移動して一時的にデジタル放送の受信が困難となった場合について説明する。なお、地域ＡでチャンネルＣＨ２を選局し、初期動作における地域特定処理が行われるため、現在地域情報３０５に地域Ａが記憶されているとする。
【００９３】
デジタル放送受信装置１ａが一時的にデジタル放送の受信が困難となった場合、チャンネルＣＨ２に対する受信感度が不良となる（ステップＳ８でＮｏ）。これによって、デジタル放送受信装置１ａの選局制御部１４は、受信感度不良時（ステップＳ９）における地域特定処理を開始する。
【００９４】
受信感度不良時における地域特定処理の上記ステップＳ５１において、地域候補設定部１５は、上述と同様に現在地域情報３０５に記憶されている地域Ａおよび視聴チャンネルとして選局されているチャンネルＣＨ２に基づいて、チャンネルＣＨ２が放送されていない隣接地域に関する地域候補リスト３０２を作成する。つまり、図２の一例では、チャンネルＣＨ２が放送されている地域Ａ、地域Ｃ、および地域Ｆが抽出され、それらに隣接する地域Ｂ、地域Ｄ、地域Ｅ、および地域Ｇが地域候補リスト３０２に記述される。
【００９５】
そして、上記ステップＳ５２〜Ｓ５８が繰り返される。しかしながら、デジタル放送受信装置１ａが一時的にデジタル放送の受信が困難となっており、いずれのチャンネルも受信できないため、地域候補リスト３０２に記述された地域数が０となる（ステップＳ５３でＹｅｓ）。これによって、デジタル放送受信装置１ａは、地域を移動することによってチャンネルＣＨ２の視聴が不可能になったのではなく、一時的に受信ができない状態になったと判断できる。
【００９６】
一時的に受信ができない状態と判明した後のステップＳ５１では、地域候補設定部１５は、現在地域情報３０５に記憶されている地域Ａおよび選局されているチャンネルＣＨ２に基づいて、地域候補リスト３０２を作成する。つまり、図２の一例では、地域候補設定部１５は、チャンネルＣＨ２が放送されている地域Ａ、地域Ｃ、および地域Ｆを地域候補リスト３０２に記述する。そして、上記ステップＳ５２〜Ｓ５８を繰り返す。やがて、デジタル放送受信装置１ａが一時的にデジタル放送の受信が困難な状況が解消されると、現在地域特定部１０が地域Ａを現在地域として特定し、チャンネル設定情報３０４が更新される。
【００９７】
なお、地域特定処理を実行中においては、「地域を特定しています」などの現在地域を特定していることをユーザに伝える情報や、「チャンネル設定情報を更新しています」などのチャンネル設定情報を更新していることをユーザに伝える情報を、掲示部４が掲示してもかまわない。また、ステップＳ５３において地域候補リスト３０２の個数が０であった場合、「現在、受信できません」などの一時的に受信不可能な場所にいることをユーザに伝える情報を掲示部４が掲示してもかまわない。
【００９８】
また、初期動作における地域特定処理では、ステップＳ５１において地域チャンネルデータベース３０１に記述されている全ての地域を地域候補リスト３０２に記述したが、この場合、視聴開始までに時間がかかることが考えられる。このような視聴開始までの時間を短縮するために、前回の視聴終了時の現在地域情報３０５を記憶しておき、初期動作における地域特定処理のステップＳ５１において、当該現在地域情報３０５に記憶されている現在地域のみを地域候補リスト３０２に記述してもかまわない。この場合、チャンネルリスト３０３に記載されているすべてのチャンネルの受信感度が良好であるときに、現在地域が特定できる。なお、デジタル放送受信装置１ａが配置されている地域と現在地域情報３０５に記憶されている現在地域とが異なり、特定できなかった場合、地域チャンネルデータベース３０１に記述されている全ての地域を地域候補リスト３０２に記述する。また、選局動作および受信感度不良時の動作における地域特定処理のステップＳ５１においても、地域候補設定部１５が作成する地域候補リスト３０２に、地域チャンネルデータベース３０１に記述されている全ての地域を記述してもかまわない。
【００９９】
また、ある地域（例えば、図２に示す地域Ａ）においてデジタル放送を受信している場合、他の地域で固有のローカルチャンネル（例えば、地域ＣにおけるチャンネルＣＨ２０）が受信できる可能性がある。この場合、デジタル放送受信装置１ａは、現在地域が地域Ｃと誤認してしまうことがある。このような誤認を防ぐために、以下の手順で現在地域を特定してもかまわない。
【０１００】
例えば、図６に示すステップＳ５８における地域候補リスト３０２から地域の削除を行わず、ステップＳ５６における地域候補リスト３０２から地域の削除のみを行う。この場合、チャンネルＣＨ１０の受信状況によって現在地域が地域Ａに特定されることもあるが、チャンネルＣＨ１０およびＣＨ２０双方に対して受信感度良好であれば、地域ＡおよびＣが地域候補リスト３０２に残る。このとき、チャンネルＣＨ１０およびＣＨ２０のように、それぞれの地域で固有のローカルチャンネルの受信感度を測定し、良いほうを現在地域と特定すれば、どちらか一方（この場合、地域Ａ）が特定される。
【０１０１】
（第２の実施形態）
以下、図面を参照して、本発明の第２の実施形態に係るデジタル放送受信装置について説明する。第２の実施形態は、視聴しながら地域を移動することにより視聴チャンネルの受信感度が不良になった場合、自動的にチャンネル設定情報３０４を移動先の地域のものに変更するとともに、視聴していたチャンネルと同じ放送系列の放送が移動先地域にて行われていた場合に同系列の放送を自動的に選局する。図７は、当該デジタル放送受信装置１ｂの構成を示すブロック図である。
【０１０２】
図７において、デジタル放送受信装置１ｂは、第１の実施形態で説明したデジタル放送受信装置１ａの構成に放送系列抽出部２０を加えて、記憶部３０ｂの構成を変更している。そして、記憶部３０ｂは、第１の実施形態で説明したデジタル放送受信装置１ａの記憶部３０ａに対して、放送系列識別データベース３０６および放送系列識別情報３０７が加えられている。なお、他の構成要素は、第１の実施形態と同様であるため、同一要素には同一の参照符号を付して、詳細な説明を省略する。また、第１の実施形態と同様に現在地域特定部１０が選局制御部１４を含んでいる構成を示しているが、同系列のチャンネルを選局するための選局制御部を現在地域特定部１０内とは別に構成してもかまわない。
【０１０３】
受信感度判定部１３は、選局部１２で復調した信号の受信感度を判定し、その受信結果が良好である場合は、放送系列抽出部２０を介して復調された信号を放送情報抽出部２へ送る。そして、放送系列抽出部２０は、受信感度判定部１３から送られてきた情報から、放送系列識別を抽出し記憶部３０ｂに送る。
【０１０４】
放送系列識別データベース３０６は、各地域で放送されるチャンネルと放送識別の対応関係を示すデータベースである。以下、図８を参照して放送系列識別データベース３０６について説明する。なお、図８は、放送系列識別データベース３０６の一例を説明するための図である。
【０１０５】
図８において、放送系列識別データベース３０６は、各地域でそれぞれ放送されているチャンネル情報を放送系列識別で分類したデータベースであり、デジタル放送受信装置１ｂが受信する可能性のある地域が全て記述されている。例えば、図８のおいては地域Ａ〜Ｇでそれぞれ放送されているチャンネル情報が示されており、それぞれのチャンネル情報が放送系列識別ａ〜ｄで分類されている。例えば、地域Ａで放送されるチャンネルＣＨ２、ＣＨ５、およびＣＨ１０のうち、チャンネルＣＨ２が放送系列識別ａに分類され、チャンネルＣＨ５が放送系列識別ｂに分類され、チャンネルＣＨ１０が放送系列識別ｃに分類される。そして、放送系列識別ｄにあたるチャンネル情報は存在しないことを示している。
【０１０６】
次に、第２の実施形態に係るデジタル放送受信装置１ｂの動作について説明する。第１の実施形態で図５および図６を用いて説明した動作に対して、デジタル放送受信装置１ｂの動作は、図５のステップＳ３およびＳ１３の動作が異なる。具体的には、デジタル放送受信装置１ｂは、受信感度不良時の動作において、地域特定処理を行った後に視聴していたチャンネルと同じ放送系列の放送が移動先地域にて放送されていた場合、そのチャンネルを自動的に視聴するという動作を加えたものである。以下、図２に示した地域において、デジタル放送受信装置１ｂがチャンネルＣＨ２を視聴しながら地域Ａから地域Ｃへ移動し、その後、地域Ｂへ移動してチャンネルＣＨ２の受信感度が不良となった一例で動作を説明する。
【０１０７】
図５において、デジタル放送受信装置１ｂは、地域Ａおよび地域ＣにおいてチャンネルＣＨ２を視聴（ステップＳ３）しているとき、受信感度判定部１３から送られてきた情報から放送系列抽出部２０がチャンネルＣＨ２の放送系列識別を抽出し、記憶部３０ｂの放送系列識別情報３０７に記憶する。そして、ユーザが視聴チャンネルの変更を行わずに地域Ａおよび地域Ｃでデジタル放送受信装置１ｂがチャンネルＣＨ２を受信していれば、ステップＳ３の動作が繰り返される。
【０１０８】
次に、デジタル放送受信装置１ｂがチャンネルＣＨ２を受信しながら地域Ｃから地域Ｂへ移動したとき、地域ＢではチャンネルＣＨ２が放送されていないため、やがて受信感度判定部１３がチャンネルＣＨ２の受信感度が不良であると判断する（ステップＳ８でＮｏ）。この場合、デジタル放送受信装置１ｂで現在地域が地域Ｂであると特定され、チャンネル設定情報設定部１９が、記憶部３０ｂのチャンネル設定情報３０４を地域Ｂのものに更新する（ステップＳ９）。
【０１０９】
次に、選局制御部１４は、放送系列識別データベース３０６を参照して、現在地域情報３０５に格納された情報（つまり、地域Ｂ）および放送系列識別情報３０７に格納された情報（つまり、放送系列識別ａ）に相当するチャンネル情報を抽出する。これによって、選局制御部１４は、放送系列識別情報３０７と同じ放送系列識別を持つ放送が現在地域で行われているかどうかを判断できる。そして、同じ放送系列識別を持つ放送が行われている場合、選局制御部１４は、そのチャンネルを選局する（ステップＳ１３）。ここでは、地域Ｂに放送系列識別ａに相当するチャンネル情報であるＣＨ８が設定されているので、選局制御部１４は、チャンネルＣＨ８を選局する。なお、同じ放送系列識別を持つ放送が行われていない場合、デジタル放送受信装置１ｂは、掲示部４に同一の放送系列局が地域Ｂに存在しないという旨の表示を行う、あるいは選局制御部１４がチャンネル設定情報３０４から任意のチャンネルを選局する。
【０１１０】
このように、第２の実施形態に係るデジタル放送受信装置１ｂでは、移動先の地域にて、移動前の視聴チャンネルと同じ放送系列の放送が行われていた場合には、自動的にそのチャンネルを視聴することができる。
【０１１１】
なお、選局制御部１４が移動先の地域にて放送系列識別情報３０７と同じ放送系列識別を持つ放送が行われていると判断した場合には、掲示部４に「同一放送系列局が存在します。視聴しますか？」など、ユーザにそのチャンネルを視聴するか否かを選択させる旨のメッセージを表示して、ユーザに選択を促してもかまわない。また、選局制御部１４が移動先の地域にて放送系列識別情報３０７と同じ放送系列識別を持つ放送が行われていないと判断した場合には、掲示部４にユーザが視聴可能なチャンネルの一覧を表示して、ユーザに選択を促してもかまわない。
【０１１２】
（第３の実施形態）
以下、図面を参照して、本発明の第３の実施形態に係るデジタル放送受信装置について説明する。第３の実施形態は、アンテナ１１を介して受信する放送情報を用いて、地域チャンネルデータベース３０１および放送系列識別データベース３０６を直接的に更新することによって、デジタル放送局の増加、チャンネルの変更、および放送系列の変更などに対応する。図９は、当該デジタル放送受信装置１ｃの構成を示すブロック図である。
【０１１３】
図９において、デジタル放送受信装置１ｃは、第２の実施形態で説明したデジタル放送受信装置１ｂの構成にデータベース更新部２１および入力部２２を加えた構成に変更している。なお、他の構成要素は、第２の実施形態と同様であるため、同一要素には同一の参照符号を付して、詳細な説明を省略する。また、第１および第２の実施形態と同様に現在地域特定部１０が選局制御部１４を含んでいる構成を示しているが、データベース更新のために選局する選局制御部を現在地域特定部１０内とは別に構成してもかまわない。
【０１１４】
入力部２２は、ユーザの入力操作に応じて、地域チャンネルデータベース３０１および放送系列識別データベース３０６の内容を更新したい旨の要望や現在デジタル放送受信装置１ｃが位置している地域をユーザがデジタル放送受信装置１ｃへ入力する。例えば、入力部２２は、リモコンのキーなどで構成される。
【０１１５】
データベース更新部２１は、地域チャンネルデータベース３０１および放送系列識別データベース３０６を更新したいという情報およびデジタル放送受信装置１ｃが位置している地域（現在地域）の情報を入力部２２から受け取ると、選局制御部１４に、全チャンネルを選局することを促す。また、受信感度判定部１３から受け取るチャンネルの受信感度情報および放送系列抽出部２０から受け取る放送系列識別に基づいて、地域チャンネルデータベース３０１および放送系列識別データベース３０６を更新する。
【０１１６】
次に、図１０を参照して、第３の実施形態に係るデジタル放送受信装置１ｃの動作について説明する。なお、図１０は、デジタル放送受信装置１ｃが地域チャンネルデータベース３０１および放送系列識別データベース３０６を更新する動作を示すフローチャートである。
【０１１７】
図１０において、ユーザが入力部２２を操作して、地域チャンネルデータベース３０１および放送系列識別データベース３０６の内容を更新したい旨の要望およびデジタル放送受信装置１ｃが位置している現在地域の情報をデジタル放送受信装置１ｃへ入力する（ステップＳ７０）。
【０１１８】
次に、データベース更新部２１は、地域チャンネルデータベース３０１および放送系列識別データベース３０６に対して、上記ステップＳ７０で入力されたデジタル放送受信装置１ｃが位置している現在地域に関する情報を消去する（ステップＳ７１）。
【０１１９】
次に、選局制御部１４は、当該フローチャートに基づく動作において、未だ選局していないチャンネル情報を選局部１２へ出力する（ステップＳ７２）。そして、選局部１２は、そのチャンネル情報が示すチャンネルを選局して、信号を受信感度判定部１３および放送系列抽出部２０に出力する。
【０１２０】
次に、受信感度判定部１３は、選局部１２が選局したチャンネルの受信感度を判定する（ステップＳ７３）。そして、受信感度が良好である場合に処理を次のステップＳ７４に進め、受信感度が不良である場合に処理を次のステップＳ７６に進める。
【０１２１】
ステップＳ７４において、データベース更新部２１は、ステップＳ７１で選局したチャンネルを上記現在地域で放送されているチャンネル情報として地域チャンネルデータベース３０１に記述する。次に、データベース更新部２１は、放送系列抽出部２０から、ステップＳ７１で選局したチャンネルの放送系列識別に基づいて、上記現在地域で放送されているチャンネル情報の放送系列識別として放送系列識別データベース３０６に記述し（ステップＳ７５）、処理を次のステップＳ７６に進める。
【０１２２】
ステップＳ７６において、選局制御部１４は、当該フローチャートに基づく動作において、全てのチャンネルを選局したか否かを判定する。そして、デジタル放送受信装置１ｃは、選局していないチャンネルがある場合、上記ステップＳ７２に戻って処理を繰り返す。一方、デジタル放送受信装置１ｃは、全てのチャンネルに対する処理が終了した場合、当該フローチャートによる処理を終了する。
【０１２３】
このように、第３の実施形態に係るデジタル放送受信装置１ｃによれば、デジタル放送局の増加、チャンネルの変更、および放送系列の変更などに対応して、アンテナ１１を介して受信する放送情報を用いて直接的に地域チャンネルデータベース３０１および放送系列識別データベース３０６をユーザの指示に応じて更新することができる。つまり、デジタル放送受信装置１ｃで用いるデータベースを、最新の情報に更新することができる。
【０１２４】
なお、第３の実施形態では、第２の実施形態のデジタル放送受信装置１ｂにデータベース更新部２１および入力部２２を加える構成で説明したが、第１の実施形態のデジタル放送受信装置１ａにこれらを加えた構成でもかまわない。この場合、地域チャンネルデータベース３０１のみを現在地域で放送されているチャンネル情報で更新することが可能となり、ステップＳ７５では何も行わない。
【０１２５】
また、上述した第１〜第３の実施形態に係るデジタル放送受信装置では、選局部１２および選局制御部１４の組を１組搭載したが、複数組を搭載してもかまわない。この場合、デジタル放送受信装置が地域特定処理などを行っている際にも、他の選局部１２および選局制御部１４の組で視聴を継続することができるため、ユーザの視聴を妨げずに地域特定処理などの動作を行うことができる。この場合、上述したトリガーとは別に定期的に地域特定処理を行うことが可能となるため、常に現在地域を正確に把握して適切なチャンネル一覧を設定することができる。
【産業上の利用可能性】
【０１２６】
本発明に係るデジタル放送受信装置は、現在地域の情報および当該現在地域で放送されているチャンネルを自動的に変更することができ、移動を前提にした携帯電話など携帯型端末や移動体に搭載される端末などでデジタル放送を受信する場合に有用である。
【図面の簡単な説明】
【０１２７】
【図１】本発明の第１の実施形態に係るデジタル放送受信装置１ａの構成を示すブロック図
【図２】図１の地域チャンネルデータベース３０１の一例を説明するための図
【図３】図１の地域候補リスト３０２の一例を説明するための図
【図４】図１のチャンネルリスト３０３の一例を説明するための図
【図５】図１のデジタル放送受信装置１ａのおける視聴開始から視聴終了までの動作を示すフローチャート
【図６】図５のステップＳ１、Ｓ５、およびＳ９の地域特定処理の詳細な手順を示すサブルーチン
【図７】本発明の第２の実施形態に係るデジタル放送受信装置１ｂの構成を示すブロック図
【図８】図７の放送系列識別データベース３０６の一例を説明するための図
【図９】本発明の第３の実施形態に係るデジタル放送受信装置１ｃの構成を示すブロック図
【図１０】図９のデジタル放送受信装置１ｃが地域チャンネルデータベース３０１および放送系列識別データベース３０６を更新する動作を示すフローチャート
【図１１】関東地域における地域識別および隣接地域の一例
【符号の説明】
【０１２８】
１…デジタル放送受信装置
１０…現在地域特定部
１１…アンテナ
１２…選局部
１３…受信感度判定部
１４…選局制御部
１５…地域候補設定部
１６…チャンネルリスト作成部
１７…地域数計測部
１８…地域情報格納部
１９…チャンネル設定情報設定部
２０…放送系列抽出部
２１…データベース更新部
２２…入力部
２…放送情報抽出部
３…デコーダ
４…掲示部
３０…記憶部
３０１…地域チャンネルデータベース
３０２…地域候補リスト
３０３…チャンネルリスト
３０４…チャンネル設定情報
３０５…現在地域情報
３０６…放送系列識別データベース
３０７…放送系列識別情報
【図１】
2006093868.tif 000003
【図２】
2006093868.tif 000004
【図３】
2006093868.tif 000005
【図４】
2006093868.tif 000006
【図５】
2006093868.tif 000007
【図６】
2006093868.tif 000008
【図７】
2006093868.tif 000009
【図８】
2006093868.tif 000010
【図９】
2006093868.tif 000011
【図１０】
2006093868.tif 000012
【図１１】
2006093868.tif 000013